(57)【特許請求の範囲】
【請求項１】
送風機と、内部を冷媒が流通して前記送風機によって生成された気流との間で熱交換を行う熱交換器と、を備えた空気調和機の室外機において、
底板と、
前記底板に設けられて前記底板を貫通する開口からなる排水口と、
前記排水口の周縁部に設けられて前記排水口の前記周縁部から上方に向かって延びる排水口フランジ部と、
前記排水口フランジ部の一部が前記排水口フランジ部の上端から下方に向かって少なくとも一部を残して所定高さまで除去されて形成されて前記排水口フランジ部の外側と前記排水口とを連通させる連通部と、
を備えることを特徴とする空気調和機の室外機。
【請求項２】
前記排水口に着脱可能な蓋部材を設けたことを特徴とする請求項１に記載の空気調和機の室外機。
【請求項３】
前記底板の内面に設けられて前記排水口が配置された排水溝と、前記排水溝を跨ぐ形で前記底板に配置されて前記熱交換器の下部を支持する支持部材と、を備え、
前記底板は、
前記底板の周縁部に設けられて前記底板の前記周縁部から上方に向かって延びる外縁フランジ部と、
前記外縁フランジ部の内面に設けられた係止突起を有する係止部と、
前記外縁フランジ部の内面から前記排水溝を跨いで離隔した箇所に設けられた係合孔及び係合突起を有する係合部と、
を備え、
前記支持部材は、
前記外縁フランジ部の内面に近接して前記係止突起によって係止される係止壁と、
前記係合孔に挿入される係合爪と、
前記係合突起に係合する段差部と、
を備えることを特徴とする請求項１または請求項２に記載の空気調和機の室外機。
【請求項４】
前記支持部材は前記熱交換器との接触面に通水孔を備えることを特徴とする請求項３に記載の空気調和機の室外機。
【請求項５】
前記支持部材は前記排水溝の底部に対して上方に離隔した状態で前記底板に取り付けられることを特徴とする請求項３または請求項４に記載の空気調和機の室外機。
【発明の詳細な説明】
【技術分野】
【０００１】
本発明は空気調和機の室外機に関する。
【背景技術】
【０００２】
家屋用の空気調和機はヒートポンプ方式を採用し、室外機と室内機とに分かれたセパレート型が主流となっている。屋外に室外機が配置され、屋内には室内機が配置され、家屋の外壁を通り抜ける冷媒配管で室外機と室内機とが接続される。このような空気調和機の室外機が特許文献１及び２に開示されている。
【０００３】
特許文献１に記載された従来の空気調和機の室外機は底板が熱交換器の下方に形成された溝と、溝の底部から上方に向かって突出して上面に熱交換器が載置される複数の膨出部と、溝及び膨出部に設けられた複数の排水孔と、を備える。排水孔はバーリング加工により形成されて、底板の外底面から下方に向かって突出するフランジ部が設けられる。これにより、底板の強度と、熱交換器の動作で生じるドレン水の排水性とを確保している。
【０００４】
特許文献２に記載された従来の空気調和機の室外機は底板が排水穴と、排水穴に向かって傾斜する排水溝と、底板の内底面から上方に向かって突出して上面にて熱交換器の下端を支持する複数の載置台と、を備える。載置台の周囲には排水溝に向かって下り傾斜する傾斜部が設けられる。これにより、熱交換器の周囲におけるドレン水の滞留を抑制し、ドレン水の排水性を確保している。
【先行技術文献】
【特許文献】
【０００５】
【特許文献１】特開２０１３−１１３５１３号公報
【特許文献２】特開２０１４−９８５１２号公報
【発明の概要】
【発明が解決しようとする課題】
【０００６】
しかしながら、特許文献１に記載された従来の空気調和機の室外機は排水孔の周縁部に設けられたフランジ部が底板の外底面から下方に向かって突出するので、フランジ部の下端が室外機の設置場所の床に接触する虞があった。これにより、室外機の設置が不安定になるという問題があった。また、フランジ部の下端が室外機の設置場所の床に接触し、排水孔が塞がれてしまう可能性もあった。
【０００７】
また、特許文献１及び２に記載された従来の空気調和機の室外機は排水溝の底部に熱交換器の下端を支持する膨出部や載置台が設けられた箇所があるので、ドレン水の流通経路が必要以上に迂曲したり、ドレン水の流通経路が部分的に狭くなったりする虞があった。これにより、ドレン水の排水性が効率的であるとは言えないという課題があった。
【０００８】
本発明は、上記の点に鑑みなされたものであり、底板の強度と、ドレン水の排水性とを効果的に確保することが可能な空気調和機の室外機を提供することを目的とする。
【課題を解決するための手段】
【０００９】
上記の課題を解決するため、本発明は、送風機と、内部を冷媒が流通して前記送風機によって生成された気流との間で熱交換を行う熱交換器と、を備えた空気調和機の室外機において、底板と、前記底板に設けられて前記底板を貫通する開口からなる排水口と、前記排水口の周縁部に設けられて前記排水口の前記周縁部から上方に向かって延びる排水口フランジ部と、前記排水口フランジ部の一部が除去されて形成されて前記排水口フランジ部の外側と前記排水口とを連通させる連通部と、を備えることを特徴としている。
【００１０】
また、上記構成の空気調和機の室外機において、前記連通部は、前記排水口フランジ部の一部がその上端から下端まで除去されて形成されることを特徴としている。
【００１１】
また、上記構成の空気調和機の室外機において、前記連通部は、前記排水口フランジ部の一部がその上端から下方に向かって所定高さまで除去されて形成されることを特徴としている。
【００１２】
また、上記構成の空気調和機の室外機において、前記排水口を複数設けたことを特徴としている。
【００１３】
また、上記構成の空気調和機の室外機において、前記排水口に着脱可能な蓋部材を設けたことを特徴としている。
【００１４】
また、上記構成の空気調和機の室外機において、前記底板の内面に設けられて前記排水口が配置された排水溝と、前記排水溝を跨ぐ形で前記底板に配置されて前記熱交換器の下部を支持する支持部材と、を備えることを特徴としている。
【００１５】
また、上記構成の空気調和機の室外機において、前記支持部材は前記熱交換器との接触面に通水孔を備えることを特徴としている。
【００１６】
また、上記構成の空気調和機の室外機において、前記支持部材は前記排水溝の底部に対して上方に離隔した状態で前記底板に取り付けられることを特徴としている。
【００１７】
また、上記構成の空気調和機の室外機において、前記底板が、前記底板の周縁部に設けられて前記底板の前記周縁部から上方に向かって延びる外縁フランジ部と、前記外縁フランジ部の内面に設けられた係止突起を有する係止部と、前記外縁フランジ部の内面から前記排水溝を跨いで離隔した箇所に設けられた係合孔及び係合突起を有する係合部と、を備え、前記支持部材が、前記外縁フランジ部の内面に近接して前記係止突起によって係止される係止壁と、前記係合孔に挿入される係合爪と、前記係合突起に係合する段差部と、を備えることを特徴としている。
【発明の効果】
【００１８】
本発明の構成によれば、底板の強度と、ドレン水の排水性とを効果的に確保することが可能な空気調和機の室外機を提供することができる。
【図面の簡単な説明】
【００１９】
【図１】本発明の第１実施形態の空気調和機の概略構成図であって、冷房運転時の状態を示すものである。
【図２】本発明の第１実施形態の空気調和機の概略構成図であって、暖房運転時の状態を示すものである。
【図３】本発明の第１実施形態の空気調和機の室外機の外観斜視図である。
【図４】本発明の第１実施形態の空気調和機の室外機の斜視図にして、上部カバーを取り外した状態を示すものである。
【図５】本発明の第１実施形態の空気調和機の室外機の底板の斜視図である。
【図６】本発明の第１実施形態の空気調和機の室外機の底板の排水口周辺を示す斜視図である。
【図７】本発明の第１実施形態の空気調和機の室外機の底板の排水口周辺を示す斜視図である。
【図８】本発明の第２実施形態の空気調和機の室外機の底板の排水口周辺を示す斜視図である。
【図９】本発明の第３実施形態の空気調和機の室外機の底板の斜視図である。
【図１０】本発明の第３実施形態の空気調和機の室外機の底板及び排水口蓋の斜視図である。
【図１１】本発明の第４実施形態の空気調和機の室外機の底板及び熱交換器の斜視図である。
【図１２】本発明の第４実施形態の空気調和機の室外機の底板及び熱交換器の分解斜視図である。
【図１３】本発明の第４実施形態の空気調和機の室外機の熱交換器の支持部材の斜視図である。
【図１４】本発明の第４実施形態の空気調和機の室外機の熱交換器の支持部材の斜視図である。
【図１５】本発明の第４実施形態の空気調和機の室外機の熱交換器の支持部材の斜視図である。
【図１６】本発明の第４実施形態の空気調和機の室外機の底板の熱交換器の支持部を示す部分拡大斜視図である。
【図１７】本発明の第４実施形態の空気調和機の室外機の底板の熱交換器の支持部を示す部分拡大斜視図である。
【図１８】本発明の第４実施形態の空気調和機の室外機の底板の熱交換器の支持部を示す部分拡大斜視図である。
【図１９】本発明の第４実施形態の空気調和機の室外機の熱交換器の支持部材の底板への取り付け方法を示す垂直断面図である。
【図２０】本発明の第４実施形態の空気調和機の室外機の熱交換器の支持部材の底板への取り付け方法を示す垂直断面図である。
【図２１】本発明の第５実施形態の空気調和機の室外機の熱交換器の支持部材を示す斜視図である。
【発明を実施するための形態】
【００２０】
以下、本発明の実施形態を図１〜図２１に基づき説明する。
【００２１】
＜第１実施形態＞
最初に、本発明の第１実施形態の空気調和機について、図１〜図４を用いてその構造と動作の概略を説明する。図１及び図２は各々空気調和機の概略構成図であって、冷房運転時及び暖房運転時の状態を示すものである。図３は空気調和機の室外機の外観斜視図であり、図４は外装カバーを取り外した状態の室外機の斜視図である。
【００２２】
空気調和機１は、図１及び図２に示すように室外機１０と室内機３０とで構成されるセパレート型の空気調和機である。
【００２３】
室外機１０は、例えば屋外の床面上に設置されるものであって、合成樹脂部品と板金部品とで構成される矩形箱型の筐体１１を備える（図３参照）。筐体１１の内部には図１、図２及び図４に示す圧縮機１２、切替弁１３、膨張弁１４、室外送風機１５、室外熱交換器１６などを収納する。
【００２４】
切替弁１３は冷房運転時、暖房運転時などの異なる運転モードにおいて冷媒の流通方向を切り替えるための四方弁である。膨張弁１４には開度制御の可能なものが用いられる。
【００２５】
室外送風機１５は筐体１１の内壁に隣接して設けたプロペラファンと、これを回転させるモータとを組み合わせたものである。筐体１１には吸込口（不図示）及び吹出口１１ｂが設けられる。室外熱交換器１６は室外送風機１５に近接して配置される。室外送風機１５を駆動すると、外部から吸込口を通って筐体１１の内部に吸い込まれた外気が室外熱交換器１６を通過し、室外熱交換器１６とその外気との間で熱交換が行われる。
【００２６】
室外機１０は２本の冷媒配管１７、１８で室内機３０に接続される。冷媒配管１７には液体冷媒が流れ、冷媒配管１８に比較して細い管が用いられる。そのため冷媒配管１７は例えば「液管」、「細管」などと称されることがある。冷媒配管１８には気体冷媒が流れ、冷媒配管１７に比較して太い管が用いられる。そのため冷媒配管１８は例えば「ガス管」、「太管」などと称されることがある。冷媒には例えばＨＦＣ系のＲ４１０ＡやＲ３２等が用いられる。
【００２７】
室外機１０の内部の冷媒配管１９、２０に関して、冷媒配管１７に接続される冷媒配管１９には二方弁２１が設けられ、冷媒配管１８に接続される冷媒配管２０には三方弁２２が設けられる。二方弁２１と三方弁２２は室外機１０から冷媒配管１７、１８が取り外されるときに閉じられ、室外機１０から外部に冷媒が漏れることを防ぐ。室外機１０から、あるいは空気調和機１全体から、冷媒を回収する必要があるときは三方弁２２を通じて回収が行われる。
【００２８】
室内機３０は、例えば室内の壁面天井近くに設置されるものであって、合成樹脂部品で構成される筐体３１を備える。筐体３１の内部には図１及び図２に示す室内送風機３２、室内熱交換器３３などを収納する。
【００２９】
室内送風機３２は筐体３１の形状に沿って水平方向に横長に延びるクロスフローファンと、これを回転させるモータとを組み合わせたものである。筐体３１には図示しない吸込口及び吹出口が設けられる。室内熱交換器３３はクロスフローファン同様に水平方向に延び、３個（室内熱交換器３３Ａ、３３Ｂ、３３Ｃ）が組み合わされて構成される。３個の室内熱交換器３３は室内送風機３２のクロスフローファンの上方や前方を覆うように配置される。室内送風機３２を駆動すると、吸込口を通って筐体３１の内部に吸い込まれた室内空気が室内熱交換器３３を通過し、室内熱交換器３３がその室内空気との間で熱交換を行う。
【００３０】
図１は空気調和機１が冷房運転あるいは除霜運転を行っている状態を示す。このとき、圧縮機１２は冷房時循環、すなわち圧縮機１２から吐出された冷媒が先に室外熱交換器１６に入る循環様式で冷媒を循環させる。冷媒は図１において冷媒配管１７〜２０等に近接して描画した矢印の方向に循環する。
【００３１】
圧縮機１２から吐出された高温高圧気体の冷媒は室外熱交換器１６に入り、そこで外気との熱交換が行われる。冷媒は外気に対し放熱を行い、凝縮する。凝縮して液体となった冷媒は室外熱交換器１６から膨張弁１４にて減圧される。減圧後の冷媒は室内熱交換器３３に送られ、膨張して低温低圧となり、室内熱交換器３３の表面温度を下げる。表面温度の下がった室内熱交換器３３は室内空気から吸熱し、これにより室内空気は冷やされる。吸熱後、低温気体の冷媒は圧縮機１２に戻る。室外送風機１５によって生成された気流が室外熱交換器１６からの放熱を促進し、室内送風機３２によって生成された気流が室内熱交換器３３の吸熱を促進する。
【００３２】
図２は空気調和機１が暖房運転を実行している状態を示す。このとき、切替弁１３が切り替えられて冷房運転時と冷媒の流れが逆になる。圧縮機１２は暖房時循環、すなわち圧縮機１２から吐出された冷媒が先に室内熱交換器３３に入る循環様式で冷媒を循環させる。冷媒は図２において冷媒配管１７〜２０等に近接して描画した矢印の方向に循環する。
【００３３】
圧縮機１２から吐出された高温高圧気体の冷媒は室内熱交換器３３に入り、そこで室内空気との熱交換が行われる。冷媒は室内空気に対し放熱を行い、室内空気は暖められる。放熱し、凝縮して液体となった冷媒は室内熱交換器３３から膨張弁１４にて減圧される。減圧後の冷媒は室外熱交換器１６に送られ、膨張して低温低圧となり、室外熱交換器１６の表面温度を下げる。表面温度の下がった室外熱交換器１６は外気から吸熱する。吸熱後、低温気体の冷媒は圧縮機１２に戻る。室内送風機３２によって生成された気流が室内熱交換器３３からの放熱を促進し、室外送風機１５によって生成された気流が室外熱交換器１６による吸熱を促進する。
【００３４】
次に、室外機１０の詳細な構成について、図３及び図４に加えて図５〜図７を用いて説明する。図５は室外機１０の底板の斜視図であり、図６及び図７は底板の排水口周辺を拡大して示した部分斜視図である。
【００３５】
室外機１０の筐体１１は、図３及び図４に示すように上部カバー１１ａ及び底板４０を備える。上部カバー１１ａはその側面に筐体１１の内部と外部とを連通させる吸込口（不図示）及び吹出口１１ｂを備える。底板４０は上部カバー１１ａや圧縮機１２、室外送風機１５、室外熱交換器１６などを支持する。
【００３６】
底板４０は、図５に示すように平面視略矩形をなし、板金材料により形成される。底板４０はその周縁部に外縁フランジ部４１を備える。外縁フランジ部４１は底板４０の底面部に対して周縁部を上方に向けて折り曲げるなどして形成され、底板４０の周縁部から上方に向かって所定高さまで延びる板状をなす。
【００３７】
また、底板４０は排水口４２と排水溝４３とを備える。排水口４２は底板４０の底面部に設けられ、底板４０を貫通する開口からなる。排水溝４３は底板４０の内面に設けられ、排水口４２が配置される。排水溝４３は底板４０の内底面の他の領域に対して下方に向かって窪んだ凹部として形成される。排水口４２及び排水溝４３は例えば室外熱交換器１６の動作で生じるドレン水の排水に利用される。
【００３８】
排水口４２は、図５〜図７に示すように底板４０に例えば３個（排水口４２ａ、４２ｂ、４２ｃ）設けられる。３個の排水口４２のうち排水口４２ａは排水溝４３に配置される。このため、排水溝４３は排水口４２ａに向かって下る傾斜を有する。排水口４２は例えばオーバル形状（長穴形状）にて形成される。なお、排水口４２の数量及び形状等の構成はここで説明した構成に限定されるわけではない。
【００３９】
排水口４２の周縁部には排水口フランジ部４４が設けられる。排水口フランジ部４４は排水口４２の周縁部から上方に向かって所定高さまで延びる板状をなす。
【００４０】
また、排水口フランジ部４４の箇所には連通部４５が設けられる。連通部４５は排水口４２の周縁部を囲むように設けられた排水口フランジ部４４の一部がその上端から下端まで除去されて形成される。連通部４５は排水口フランジ部４４の外側の領域と排水口４２とを連通させる。
【００４１】
連通部４５は例えばオーバル形状をなす排水口４２の直線部分に２箇所または３箇所形成したり（図６参照）、曲線部分の排水口フランジ部４４を取り去ったり（図７参照）することにより構成される。なお、連通部４５の数量及び配置箇所等の構成はここで説明した構成に限定されるわけではない。連通部４５の数量及び配置箇所等の構成は、例えば底板４０の強度やドレン水の排水性等を考慮して適宜決定される。
【００４２】
＜第２実施形態＞
次に、本発明の第２実施形態の空気調和機の室外機について、図８を用いて説明する。図８は空気調和機の室外機の底板の排水口周辺を示す斜視図である。なお、この実施形態の基本的な構成は先に説明した第１実施形態と同じであるので、第１実施形態と共通する構成要素には前と同じ符号を付してその説明を省略するものとする。
【００４３】
第２実施形態の空気調和機１の室外機１０は、図８に示すように底板４０が複数の排水口４２ａ、４２ｂを備える。排水口４２ａ、４２ｂの周縁部には排水口フランジ部４４及び連通部４５、４６が設けられる。
【００４４】
連通部４６は排水口４２ｂの周縁部を囲むように設けられた排水口フランジ部４４の一部がその上端から下方に向かって所定高さまで除去されて形成される。連通部４６は排水口フランジ部４４の外側の領域と排水口４２ｂとを連通させる。
【００４５】
＜第３実施形態＞
次に、本発明の第３実施形態の空気調和機の室外機について、図９及び図１０を用いて説明する。図９は空気調和機の室外機の底板の斜視図であり、図１０は底板及び排水口蓋の斜視図である。なお、この実施形態の基本的な構成は先に説明した第１実施形態と同じであるので、第１実施形態と共通する構成要素には前と同じ符号を付してその説明を省略するものとする。
【００４６】
第３実施形態の空気調和機１の室外機１０は、図９に示すように底板４０が複数の排水口４２ａ、４２ｂ、４２ｃを備える。そして、排水口４２ｂ、４２ｃにはそれらの蓋部材である排水口蓋４７が設けられる。
【００４７】
排水口蓋４７は、図１０に示すように排水口４２ｂ、４２ｃに対して着脱可能に取り付けられる。排水口蓋４７はその外形が排水口４２ｂ、４２ｃの輪郭と同じ形状をなし、排水口４２ｂ、４２ｃに取り付けられると、それらを密閉する。
【００４８】
＜第４実施形態＞
次に、本発明の第４実施形態の空気調和機の室外機について、図１１〜図２０を用いて説明する。図１１及び図１２は空気調和機の室外機の底板及び熱交換器の斜視図及び分解斜視図である。図１３〜図１５は室外機の熱交換器の支持部材の斜視図である。図１６〜図１８は室外機の底板の熱交換器の支持部を示す部分拡大斜視図である。図１９及び図２０は室外機の熱交換器の支持部材の底板への取り付け方法を示す垂直断面図である。なお、図１１は室外送風機１５など一部の構成要素の描画を省略している。また、この実施形態の基本的な構成は先に説明した第１実施形態と同じであるので、第１実施形態と共通する構成要素には前と同じ符号を付してその説明を省略するものとする。
【００４９】
第４実施形態の空気調和機１の室外機１０は、図１１及び図１２に示すように底板４０が室外熱交換器１６に対して２箇所の支持部５０を備える。さらに、支持部５０には底板４０に対して着脱可能な支持部材５１が設けられる。支持部５０は支持部材５１を介して室外熱交換器１６を支持する。
【００５０】
支持部材５１は、図１３〜図１５に示すように平面視略矩形をなし、略板状の部材として形成される。なお以下、平面視略矩形をなす支持部材５１に対して、図１３〜図１５に示したｘ方向を支持部材５１の長辺方向とし、ｙ方向を支持部材５１の短辺方向とし、ｚ方向を上下方向として説明する。
【００５１】
支持部材５１はその上部に室外熱交換器１６の載置面５１ａを備える。載置面５１ａは平面をなす室外熱交換器１６との接触面であり、大小３箇所の通水孔５１ｂを備える。通水孔５１ｂは支持部材５１を上下方向に貫通する開口からなる。載置面５１ａの長辺部及び大型の通水孔５１ｂの周縁部には下方に向かって延びるフランジ部５１ｃが設けられる。
【００５２】
支持部材５１の一方の短辺部には係止壁５１ｄが形成され、他方の短辺部には段差部５１ｅが形成される。係止壁５１ｄは載置面５１ａの周縁部から下方に向かって延び、略垂直をなす壁部として形成される。段差部５１ｅは載置面５１ａに対して一段下がった位置に平面部を設けた形態をなす。支持部材５１の短辺方向に関して、段差部５１ｅの長さは載置面５１ａの長さよりも短い。
【００５３】
段差部５１ｅの、支持部材５１の長辺方向外側には係合爪５１ｆが設けられる。係合爪５１ｆは支持部材５１の短辺方向の両端の２箇所に設けられる。係合爪５１ｆは支持部材５１の長辺方向に沿って外側に向かって突出し、段差部５１ｅに対してさらに下方に折れ曲がった形態をなす。
【００５４】
このような構成の支持部材５１に対して、底板４０の支持部５０は、図１６〜図１８に示すように係止部５２及び係合部５３を備える。
【００５５】
係止部５２は底板４０の外縁フランジ部４１の内側に設けられる。係止部５２は支持面５２ａ及び係止突起５２ｂを備える。
【００５６】
支持面５２ａは外縁フランジ部４１に隣接する底板４０の内底面に設けられた上方を向く平面であって、支持部材５１の係止壁５１ｄの下端部を支持する。係止突起５２ｂは外縁フランジ部４１の内面に設けられ、内側に向かって、すなわち支持部材５１の長辺方向に向かって突出する。係止突起５２ｂは支持部材５１の短辺方向に沿って２箇所に設けられる。係止突起５２ｂは支持面５２ａから係止突起５２ｂまでの高さが支持部材５１の係止壁５１ｄの高さにほぼ一致するように位置決めされて設けられる。
【００５７】
係合部５３は外縁フランジ部４１の内面であって係止部５２が設けられた箇所から排水溝４３を跨いで離隔した箇所に設けられる。係合部５３は支持面５３ａ、係合孔５３ｂ、係合片５３ｃ及び係合突起５３ｄを備える。
【００５８】
支持面５３ａは上方を向く平面であって、支持部材５１の段差部５１ｅの下面を支持する。係合孔５３ｂは支持面５３ａの中央部において底板４０を上下方向に貫通する開口からなる。支持部材５１の短辺方向に関して、係合孔５３ｂの長さは支持部材５１の段差部５１ｅの長さよりも長く、段差部５１ｅがちょうど収まる程度の長さである。一方、支持部材５１の短辺方向に関して、係合孔５３ｂの長さは支持部材５１の載置面５１ａの長さよりも短い。すなわち、係合孔５３ｂに対して、支持部材５１の段差部５１ｅを挿入することはできるが、支持部材５１の全体を挿入することはできない。
【００５９】
係合片５３ｃは係合孔５３ｂの、支持部材５１の長辺方向外側の縁部に設けられる。係合片５３ｃは支持面５３ａから上方に向かって突出し、支持部材５１の短辺方向に沿って延びる板状をなす。係合片５３ｃは支持部材５１が有する２箇所の係合爪５１ｆの間の領域にちょうど収まる形状、大きさを有する。係合突起５３ｄは係合片５３ｃに設けられ、外縁フランジ部４１に向かって、すなわち支持部材５１の長辺方向に向かって突出する。係合突起５３ｄは支持面５３ａから係合突起５３ｄまでの高さが支持部材５１の段差部５１ｅの厚みにほぼ一致するように位置決めされて設けられる。
【００６０】
支持部材５１を支持部５０に取り付ける際、図１９に示すように最初に支持部材５１の係合爪５１ｆを係合部５３の係合孔５３ｂに挿入する。このとき、支持部材５１の段差部５１ｅの、２箇所の係合爪５１ｆの間の部分が係合部５３の係合片５３ｃの、係合突起５３ｄの下側に当接するように係合爪５１ｆを係合孔５３ｂに挿入する。
【００６１】
そして、支持部材５１の係止壁５１ｄが形成された側を押し下げると、図２０に示すように係止壁５１ｄが係止部５２の支持面５２ａと係止突起５２ｂとの間に挟まれて係止される。また、支持部材５１の段差部５１ｅが形成された側では、段差部５１ｅが係合部５３の支持面５３ａと係合突起５３ｄとの間に挟まれて係合する。
【００６２】
＜第５実施形態＞
次に、本発明の第５実施形態の空気調和機の室外機について、図２１を用いて説明する。図２１は室外機の熱交換器の支持部材を示す斜視図である。なお、この実施形態の基本的な構成は先に説明した第４実施形態と同じであるので、第４実施形態と共通する構成要素には前と同じ符号を付してその説明を省略するものとする。
【００６３】
第５実施形態の空気調和機１の室外機１０は、図２１に示す支持部材５１を備える。この支持部材５１は第４実施形態の支持部材５１が支持する室外熱交換器１６よりも高さが低い室外熱交換器を支持する場合に用いられる。
【００６４】
この支持部材５１は載置面５１ａに対する段差部５１ｅの段差Ｈ１（図２１参照）が第４実施形態の支持部材５１のそれよりも大きい。そして、この支持部材５１は係止壁５１ｄが形成された側において、係止壁５１ｄと載置面５１ａとの間に小段部５１ｇを備える。小段部５１ｇは載置面５１ａに対する段差部５１ｅの段差Ｈ１が第４実施形態の支持部材５１のそれよりも大きくなったことに対応し、係止部５２の係止突起５２ｂと支持部材５１との干渉を回避するために設けられる。
【００６５】
このような構成によれば、様々な高さにて形成される室外熱交換器１６を、支持部材５１を介してしっかりと底板４０に取り付けることが可能になる。
【００６６】
上記のように、室外送風機１５と、内部を冷媒が流通して室外送風機１５によって生成された気流との間で熱交換を行う室外熱交換器１６と、を備えた空気調和機１の室外機１０はさらに、底板４０と、底板４０に設けられて底板４０を貫通する開口からなる排水口４２と、排水口４２の周縁部に設けられて排水口４２の周縁部から上方に向かって延びる排水口フランジ部４４と、排水口フランジ部４４の一部が除去されて形成されて排水口フランジ部４４の外側と排水口４２とを連通させる連通部４５と、を備える。
【００６７】
この構成によれば、排水口４２の周縁部に設けられた排出口フランジ部４４が底板４０の外底面から下方に突出しない。これにより、底板４０の外底面が室外機１０の設置場所の床に接触する可能性が高くなることを抑制することができ、さらに排水口４２が塞がれ易くなる可能性も回避することが可能である。また、排水口フランジ部４４の一部に連通部４５を設けたことで、ドレン水の排水性も効果的に確保することが可能である。
【００６８】
また、第１実施形態の室外機１０の連通部４５は排水口フランジ部４４の一部がその上端から下端まで除去されて形成される。
【００６９】
この構成よれば、連通部４５の箇所において底板４０の内底面と排水口４２とが面一になる。したがって、排水口４２に向かうドレン水の流れを妨げるものがなく、ドレン水を効率良く排水することが可能である。
【００７０】
一方、第２実施形態の室外機１０の連通部４６は排水口フランジ部４４の一部がその上端から下方に向かって所定高さまで除去されて形成される。
【００７１】
この構成よれば、連通部４６の箇所において底板４０の強度を確保しつつドレン水の排水性を確保することができる。
【００７２】
また、室外機１０には排水口４２が複数設けられる。この構成よれば、ドレン水の排水性を向上させることができる。
【００７３】
そして、第３実施形態の室外機１０の排水口４２には着脱可能な排水口蓋４７が設けられる。この構成よれば、例えば室外機１０の設置場所の環境などに応じて排水口４２の開放、閉鎖を任意に選択することができる。したがって、室外機１０の設置場所の環境などに対応したドレン水の排水性を確保することが可能である。
【００７４】
また、室外機１０は、底板４０の内面に設けられて排水口４２が配置された排水溝４３と、排水溝４３を跨ぐ形で底板４０に配置されて室外熱交換器１６の下部を支持する支持部材５１と、を備える。
【００７５】
この構成よれば、排水溝４３の底部に室外熱交換器１６の支持部を設けることを回避することができる。したがって、排水溝４３として効果的なドレン水の流通経路を形成することができ、ドレン水を効率良く排水することが可能である。
【００７６】
また、支持部材５１は室外熱交換器１６との接触面である載置面５１ａに通水孔５１ｂを備える。
【００７７】
この構成よれば、室外熱交換器１６から支持部材５１に滴下したドレン水が通水孔５１ｂを通して排水溝４３に導かれる。したがって、支持部材５１にドレン水が滞留することを回避することができ、ドレン水を効率良く排水することが可能である。
【００７８】
また、支持部材５１は排水溝４３の底部に対して上方に離隔した状態で底板４０に取り付けられる。この構成よれば、排水溝４３において十分なドレン水の流通経路を確保することが可能である。
【００７９】
また、底板４０が、底板４０の周縁部に設けられて底板の周縁部から上方に向かって延びる外縁フランジ部４１と、外縁フランジ部４１の内面に設けられた係止突起５２ｂを有する係止部５２と、外縁フランジ部４１の内面から排水溝４３を跨いで離隔した箇所に設けられた係合孔５３ｂ及び係合突起５３ｄを有する係合部５３と、を備える。さらに、支持部材５１が、外縁フランジ部４１の内面に近接して係止突起５２ｂによって係止される係止壁５１ｄと、係合孔５３ｂに挿入される係合爪５１ｆと、係合突起５３ｄに係合する段差部５１ｅと、を備える。
【００８０】
この構成よれば、底板４０に対する支持部材５１の着脱が容易になり、且つ底板４０に対してしっかりと支持部材５１を取り付けることが可能になる。
【００８１】
以上、本発明の実施形態につき説明したが、本発明の範囲はこれに限定されるものではなく、発明の主旨を逸脱しない範囲で種々の変更を加えて実施することができる。
【産業上の利用可能性】
【００８２】
本発明は空気調和機の室外機において利用可能である。
【符号の説明】
【００８３】
１    空気調和機
１０    室外機
１１    筐体
１５    室外送風機（送風機）
１６    室外熱交換器（熱交換器）
４０    底板
４１    外縁フランジ部
４２    排水口
４３    排水溝
４４    排水口フランジ部
４５、４６    連通部
４７    排水口蓋（蓋部材）
５０    支持部
５１    支持部材
５１ｂ    通水孔
５１ｄ    係止壁
５１ｅ    段差部
５１ｆ    係合爪
５２    係止部
５２ｂ    係止突起
５３    係合部
５３ｂ    係合孔
５３ｄ    係合突起
【図１】
0006475022.tif 000002
【図２】
0006475022.tif 000003
【図３】
0006475022.tif 000004
【図４】
0006475022.tif 000005
【図５】
0006475022.tif 000006
【図６】
0006475022.tif 000007
【図７】
0006475022.tif 000008
【図８】
0006475022.tif 000009
【図９】
0006475022.tif 000010
【図１０】
0006475022.tif 000011
【図１１】
0006475022.tif 000012
【図１２】
0006475022.tif 000013
【図１３】
0006475022.tif 000014
【図１４】
0006475022.tif 000015
【図１５】
0006475022.tif 000016
【図１６】
0006475022.tif 000017
【図１７】
0006475022.tif 000018
【図１８】
0006475022.tif 000019
【図１９】
0006475022.tif 000020
【図２０】
0006475022.tif 000021
【図２１】
0006475022.tif 000022